(57)【要約】  【目的】  ペン先や筆跡に関する識別情報を容易に視認することができ、その上、射出成形用のゲート部によって全体の美観が損なわれることがないボールペン用キャップを提供する。  【構成】  本体１頂部に頭冠７を設けたボールペン用キャップであって、本体１を透明の合成樹脂から形成し、前記本体１頂部に凸部２を設けるとともに前記凸部２に射出成形用のゲート部３を位置させる。前記頭冠７に識別表示７１ａを外面に設けた天板部７１と凹部７３とを設ける。前記凹部７３内に前記凸部２を内在させる。前記識別表示７１ａがペン先先端に抱持されるボールの外径寸法である。  【選択図】  図１
2005199723.tif 000002
【特許請求の範囲】
【請求項１】
本体（１）頂部に頭冠（７）を設けたボールペン用キャップであって、本体（１）を透明の合成樹脂から形成し、前記本体（１）頂部に凸部（２）を設けるとともに前記凸部（２）に射出成形用のゲート部（３）を位置させてなり、前記頭冠（７）に、識別表示（７１ａ）を外面に設けた天板部（７１）と凹部（７３）とを設け、前記凹部（７３）内に前記凸部（２）を内在させたことを特徴とするボールペン用キャップ。
【請求項２】
前記識別表示（７１ａ）が、ペン先先端に抱持されるボールの外径寸法である請求項１記載のボールペン用キャップ。
【請求項３】
頭冠（７）は、ボールペンのインキ色を表示するよう該インキ色と同一色又は略同一色である請求項１又は２記載のボールペン用キャップ。
【請求項４】
本体（１）内に、不透明の合成樹脂から形成されたペン先シール部材（８）を配設してなる請求項１乃至３のいずれかに記載のボールペン用キャップ。
【請求項５】
頭冠（７）は、前記天板部（７１）と、本体（１）と固着される筒状部（７２）とからなる請求項１乃至４のいずれかに記載のボールペン用キャップ。
【発明の詳細な説明】
【技術分野】
【０００１】
本発明は、ボールペン用キャップに関する。さらに詳細には、インキ色やボールの外径寸法等の識別表示や装飾等の目的の頭冠を本体頂部に設けたボールペン用キャップに関する。
【背景技術】
【０００２】
従来、筆記具用キャップにおいて、インキの色表示のための頭冠をキャップ頂部に取り付けた構成は、広く知られている（例えば、特許文献１参照）。
【特許文献１】実公平２−９９９５号公報
【発明の開示】
【発明が解決しようとする課題】
【０００３】
しかし、前記従来の筆記具用キャップにおいて、インキ色等の識別表示は、キャップ天面からは視覚しやすいが、キャップ側面からでは視覚し難い。また、キャップを外すことなくペン先や筆跡が如何なるサイズのものかを判別することができず、ユーザーの購入時や使用時の目安となるボール外径や筆跡幅を一目で視認させることができないものである。
【０００４】
さらに、近年、キャップを透明にする構成が広く採用されているが、透明の合成樹脂材料の射出成形によってキャップを形成すると、射出成形の際のゲート部及びゲート部近傍に白化や濁りが生じ、美観が損なわれる。また、ゲート残りによっても、美観が損なわれがちである。
【０００５】
本発明は、前記従来の問題点を解決するものであって、ボールペンのペン先や筆跡に関する識別情報を容易に視認することができ、その上、射出成形用のゲート部によって全体の美観が損なわれることがないボールペン用キャップを提供しようとするものである。
【課題を解決するための手段】
【０００６】
本発明は、本体１頂部に頭冠７を設けたボールペン用キャップであって、本体１を透明の合成樹脂から形成し、前記本体１頂部に凸部２を設けるとともに前記凸部２に射出成形用のゲート部３を位置させてなり、前記頭冠７に、識別表示７１ａを外面に設けた天板部７１と凹部７３とを設け、前記凹部７３内に前記凸部２を内在させたことを要件とする。
更に、前記識別表示７１ａが、ペン先先端に抱持されるボールの外径寸法であることを要件とする。
【０００７】
また、前記頭冠７は、ボールペンのインキ色を表示するよう該インキ色と同一色又は略同一色である構成が好ましい。具体的には、インキ色と同一色又は略同一色に彩色された合成樹脂材料で形成する構成や、表面を着色させた金属材料で形成する構成等が挙げられる。
【０００８】
また、本体１内の凸部２の下方又は仕切壁６の下方に、不透明の合成樹脂から形成されたペン先シール部材８を配置してなる構成が好ましい。前記ペン先シール部材８は頭冠７の下方位置の他にも、頭冠７の凹部７３の内部に配置されてもよい。また、前記ペン先シール部材８は、インキ色と同一色又は略同一色の弾性材料からなる構成が好ましい。
【０００９】
また、前記頭冠７は、前記天板部７１と、本体１と固着され且つ凹部７３を有する筒状部７２とからなる構成が好ましい。前記識別表示７１ａは、具体的には、ペン先のサイズを表す識別情報であるペン先先端に抱持されるボールの外径寸法、インキ色、筆跡幅、ペン先種別等の文字や図形よりなる識別情報が挙げられる。前記識別表示７１ａは、印刷や刻設による手段、または別部材（シール等）の取り付けによる構成も可能である。
【発明の効果】
【００１０】
本発明のボールペン用キャップは、前記構成にしたことにより、ボールペンのペン先や筆跡が如何なるものかを識別することができ、ユーザーの購入時や使用時に目安とされる筆跡の太さやボール外径を一目で視認させることができる。その上、射出成形用のゲート部によって全体の美観が損なわれることがない。
【００１１】
また、識別表示として、ペン先先端に抱持されるボールの外径寸法を表示することで、キャップを外して試し書きをしなくても、ペン先が如何なるサイズのものかを判別することができ、筆跡の太さの目安となるボール外径を一目で視認させることができる。
【００１２】
また、本体内に、不透明のペン先シール部材を配置させたことにより、白化しがちな凸部を、キャップ本体の下方からも隠蔽させることができる。
【００１３】
さらに、インキ色と同一色又は略同一色である頭冠により、筆記具のインキの色を容易に判別することができる。
【発明を実施するための最良の形態】
【００１４】
前記本体１の材質は、透明の合成樹脂、例えば、ポリエチレン、ポリプロピレン、ポリシクロヘキサンテレフタレート、ポリカーボネイト、メタクリル樹脂等が挙げられる。
【００１５】
前記頭冠７の材料は、例えば、ＡＢＳ、ポリアセタール、ポリエチレン、ポリプロピレン、ポリカーボネイト等の合成樹脂や金属等が有効である。また、ゴムエラストマー等の弾性を有する合成樹脂であってもよい。
【００１６】
前記ペン先シール部材８は、材質として合成ゴム（例えば、シリコンゴム、ウレタンゴム、エチレン−プロピレンゴム、スチレン−ブタジエンゴム、フッ素ゴム等）や天然ゴム等が有効である。
【００１７】
キャップの本体１を透明にしたことにより、インキ色などの識別情報を容易に判別することができる。さらに、射出成形での白化しがちな凸部２を、頭冠７の凹部７３に挿入状態にさせることよって外部から覆い隠すことができ、キャップ全体の美観を損ねない。
【００１８】
また、凸部２の下方に、不透明のペン先シール部材８を配置させたことにより、白化しがちな凸部２を、キャップ本体１の下方（開口部方向）からも隠蔽させることができる。
【００１９】
さらに、前記頭冠７が、インキ色と同一色又は略同一色であることによってインキの色が視認できることの他、天板部７１の識別表示７１ａによって、ペン先や筆跡に関する識別情報を同時に視認することができる。
【実施例】
【００２０】
本発明の実施例を図面にしたがって説明する。
【００２１】
図１乃至図３に本発明の実施例を示す。本体１は、透明の合成樹脂（具体的には、ポリシクロヘキシレンテレフタレートとポリエチレンテレフタレートの共重合ポリエステル樹脂）の射出成形からなる。前記本体１の側面にはクリップ１１が一体に設けられている。また、前記本体１の頂部には、頭冠７を取り付けるための取付孔４が設けられ、該取付孔４の底部には凸部２が突設され、さらに前記凸部２の頂部には、射出成形用のゲート部３が位置されている。前記取付孔４の内周壁には、段部４１と環状突起４２が設けられており、前記段部４１に頭冠７の鍔状の天板部７１が当接されるとともに、前記環状突起４２と頭冠７側に設けた環状突起７２ａとが乗り越え嵌合されている。
【００２２】
また、前記本体１の取付孔４の底部には、仕切壁６が形成され、該仕切壁６下方には、筆記具本体の挿着自在の挿着孔５が設けられている。前記挿着孔５の底部には、ペン先シール部材８が圧入されている。詳細には、前記ペン先シール部材８は、外周部を挿着孔５底部の内壁に設けた四方向から支持する面状圧接部５１（その内接円径はペン先シール部材８の外径よりも僅かに小さい）により保持させると同時に、後端部を仕切壁６に当接させている。そして、前記面状圧接部５１の各々の間には、隙間５２が形成され、それにより、ペン先シール部材８を挿着孔５の底部に圧入する際に、空気の圧縮が防止されて、スムーズな取付作業が可能となる（図２参照）。
【００２３】
前記ペン先シール部材８は、厚肉の環状支持部８１と、その中央の薄肉凹状のシール部８２とが、筆記具のインキ色と略同一色に着色された弾性材料（例えばエチレン−プロピレンゴム）により一体に形成されている。
【００２４】
頭冠７は、筒状部７２と、鍔状に突出した天板部７１とからなり、インキ色と略同一色に彩色された材料（ＡＢＳ樹脂）により一体に形成されている。前記筒状部７２には、外周面に乗り越え嵌合用の環状突起７２ａが設けられている。また、前記筒状部７２の内部には凹部７３が形成され、該凹部７３内にはゲート部３を有する凸部２が挿入状態にある。
【００２５】
頭冠７の天板部７１の表面には、「０．３」なる識別表示７１ａが白色で印刷されている（図３）。本実施例で適用されるボールペンのペン先の先端には、外径０．３ｍｍの超硬ボールが回動自在に抱持されている。つまり、「０．３」は、ボールの外径寸法を示すものである。これにより、キャップを外して試し書きをしなくても、ボールペンのペン先が如何なるサイズのものかを判別することができ、ユーザーの購入時や使用時における筆跡の太さの目安となるボール外径を一目で視認させることができる。
【００２６】
キャップ本体１を外から見ると、透明の合成樹脂材料からなる本体１は、インキ色と略同一色に彩色された頭冠７及びペン先シール部材８の二箇所によって、色表示が強く識別される。また、天面を見ると、インキ色とボールの外径寸法（識別表示７１ａ）を同時に判別することができる。
【００２７】
また、前記実施例以外にも、図示はしないが、識別表示７１ａを頭冠７の筒状部７２の外周面に設ける構成や、頭冠にクリップを一体に設ける構成、あるいは金属等からなる別体のクリップを設ける構成等も適宜採用することができる。
【００２８】
また、図示はしないが、前記ペン先シール部材８を、キャップ本体１内に軸方向可動に配置させることもできる。
【図面の簡単な説明】
【００２９】
【図１】本発明の実施例の縦断面図である。
【図２】図１のＡ−Ａ線断面図である。
【図３】第１実施例の天面を示す外観図である。
【符号の説明】
【００３０】
１  本体
１１  クリップ
１２  通気孔
２  凸部
２１  内孔
３  ゲート部
４  取付孔
４１  段部
４２  環状突起
５  挿着孔
５１  面状圧接部
５２  隙間
５３  リブ
６  仕切壁
７  頭冠
７１  天板部
７１ａ  識別表示
７２  筒状部
７２ａ  環状突起
７３  凹部
８  ペン先シール部材
８１  環状支持部
８２  シール部
【図１】
2005199723.tif 000003
【図２】
2005199723.tif 000004
【図３】
2005199723.tif 000005